(57)【要約】【課題】  耐震補強架構が簡単に構築できるとともに、空間を有効利用できる既存建物の耐震補強工法を提供することである。【解決手段】  既存建物の耐震補強工法は、既存建物１の各階のスラブ７における柱梁架構８以外の箇所に下階から補強設置階まで貫通する作業孔１８を開口した後、該作業孔１８を貫通した柱５を既存建物の基礎４に複数建て込むとともに、作業孔１８が位置する箇所の柱５間に補強梁６を架設して耐震補強架構３を構築し、前記作業孔１８をコンクリート１３で塞いで補強梁６を各スラブ７と一体にすることである。【選択図】図１
2005179978.tif 000002
【特許請求の範囲】
【請求項１】
既存建物の各階のスラブにおける柱梁架構以外の箇所に下階から補強設置階まで貫通する作業孔を開口した後、該作業孔を貫通した柱を既存建物の基礎に複数建て込むとともに、作業孔が位置する箇所の柱間に補強梁を架設して耐震補強架構を構築し、前記作業孔をコンクリートで塞いで補強梁を各スラブと一体にすることを特徴とする既存建物の耐震補強工法。
【請求項２】
耐震補強架構における柱梁架構にはブレースが設置されることを特徴とする請求項１に記載の既存建物の耐震補強工法。
【請求項３】
既存建物の各階のスラブにおける柱梁架構以外の箇所は、跳ね出し部であることを特徴とする請求項１または２に記載の既存建物の耐震補強工法。
【発明の詳細な説明】
【技術分野】
【０００１】
本発明は既存建物の耐震補強工法に関するものである。
【背景技術】
【０００２】
近年、頻繁に発生する地震に対処するために、旧耐震基準で建てられた既存建物に耐震補強を施すことが増えてきている。この既存建物の耐震補強工法としては、図１１に示すように、既存建物３２の柱梁架構３３内に鉄骨ブレースやＲＣ耐震壁などの耐震補強架構３４を構築していた。この耐震補強架構３４は、架構材である鉄骨または鉄筋を小分割してエレベーターなどで建物の各階に搬入し、耐震補強設置箇所で組み立てていた。最近では、建物の使用者が日常業務を行いながら耐震補強を行うことが増えている。また、その他の既存建物の耐震補強工法としては、特開２００３−４９５４７号公報の発明がある。
【特許文献１】特開２００３−４９５４７号公報
【発明の開示】
【発明が解決しようとする課題】
【０００３】
しかし、上記のような既存建物の耐震補強工法は、小分割した鉄骨や鉄筋を各階ごとに搬入し、耐震補強設置箇所において組み立てていたため、手間がかかるとともに、建物の使用者に多大な負担を強いていた。また耐震補強架構を既存の柱梁架構内に構築していたため、建物内部における補強では部屋の使用勝手を悪くし、デッドスペース３８になるところもあった。
【０００４】
本発明は上記のような問題に鑑みてなされたものであり、その目的は、耐震補強架構を簡単に構築することができるとともに、補強作業時および補強後の空間を有効利用することができる既存建物の耐震補強工法を提供することである。
【課題を解決するための手段】
【０００５】
本発明の既存建物の耐震補強工法は、既存建物の各階のスラブにおける柱梁架構以外の箇所に下階から補強設置階まで貫通する作業孔を開口した後、該作業孔を貫通した柱を既存建物の基礎に複数建て込むとともに、作業孔が位置する柱間に補強梁を架設して耐震補強架構を構築し、前記作業孔にコンクリートを打設して補強梁を各スラブと一体にすることを特徴とする。また耐震補強架構における柱梁架構にはブレースが設置されることを含む。また既存建物の各階のスラブにおける柱梁架構以外の箇所は、跳ね出し部であることを含むものである。
【発明の効果】
【０００６】
作業孔によって各階への耐震補強架構を同時に構築することができる。また、小分割した部材をエレベーターなどで搬入して、室内を運搬する必要がなくなるので、工期の短縮および作業性の向上を図るとともに、建物の使用者の負担を軽減することができる。耐震補強架構を既存架構ではない任意の箇所に構築することができるので、デッドスペースなどを作らずに空間の有効利用が図れる。
【発明を実施するための最良の形態】
【０００７】
以下、本発明の既存建物の耐震補強工法について説明する。図１は、耐震補強を施す鉄筋コンクリート構造および鉄骨鉄筋コンクリート構造の既存建物１であり、正面側の２階以上に跳ね出し部２が形成され、該跳ね出し部２に耐震補強架構３が構築されている。
【０００８】
この耐震補強架構３は、図２および図３に示すように、既存建物の基礎４に増設した片持基礎１０に建て込まれた二本の鉄骨柱５と、この鉄骨柱５間に架設された鉄骨梁６とから構成される。この鉄骨梁６が補強梁となって各階のスラブ７の下面に設置され、図４に示すように、スラブ７と一体になって各階に柱梁架構８を形成し、この柱梁架構８内に鉄骨ブレース９が架設されている。
【０００９】
また１階には片持基礎１０と基礎スラブ１１とが構築され、この基礎スラブ１１に鉄骨梁６が埋設されて一体となっている。さらに、１階の既存柱１２にはコンクリート１３が増打ちされた壁柱１４が形成され、これで鉄骨柱５が支持されている。したがって、既存の柱梁架構以外の箇所に耐震補強架構３が構築された構成になっている。
【００１０】
次に、このような既存建物１の耐震補強工法について具体的に説明する。この建物１においては、跳ね出し部２が作業場所となるため、図５に示すように、工事中は使用者側とを区切る仮設壁１６を設置する。また３７は外装カーテンウォールである。
【００１１】
次に、図６に示すように、既存建物１の基礎４に一対の片持基礎１０を構築するとともに、この片持基礎１０上に基礎スラブ１１を構築する。そして、跳ね出し部２における各階のスラブ７を上階から順に壊し、既存小梁１７で囲まれた作業孔１８を形成する。この作業孔１８は二階から最上階のスラブ７を除いた各階に形成されるため、上下に貫通した作業空間１９が形成される。
【００１２】
次に、図７に示すように、最上階のスラブ７を吊込用スラブとして補強するとともに、このスラブ７に吊込用の滑車２０を設置し、この滑車２０にウインチ２１からのワイヤー２２を巻き付ける。そして、地上から最上階のスラブ７の近くまでの足場２３を、各階の作業孔１８を貫通させて組み立てる。
【００１３】
次に、片持基礎１０に建て込んだ最下部の柱材２４に、ウインチで吊り上げた適宜長さの柱材２５を接続して鉄骨柱５を建て込むとともに、各階のスラブ７が位置する箇所の鉄骨柱５間と、最上階における鉄骨柱５間と、片持基礎１０に建てた鉄骨柱５間とに鉄骨梁６をそれぞれ架設するとともに、この柱梁架構８内に鉄骨ブレース９を設置する。
【００１４】
次に、図８に示すように、１階の既存柱１２と各階の既存大梁２７とに、補強壁用および補強スラブ用のあと施工アンカー２６を打ち付けるとともに、１階の既存柱１２に補強壁用の鉄筋を配筋する。また最下鉄骨梁６に基礎梁鉄筋（図示せず）を配筋する。そして、１階を除く各階の作業孔１８にフラットデッキ２８を設置すると、跳ね出し部２におけるスラブ型枠２９が形成される。このフラットデッキ２８は、鉄骨梁６がスラブ７と一体になるように、鉄骨梁６の上部がスラブ型枠２９内に位置する箇所に設置する。
【００１５】
次に、図９に示すように、まず最下階の鉄骨梁６のまわりにコンクリートを打設した後、１階部分の壁柱１４と２階のスラブ７とのコンクリート１３を打設する。その後、最上階における鉄骨梁６とスラブ７との間に無収縮モルタル１３ａを打設して、これらを一体にする。次に、上階から下階のスラブ型枠２９にかけてコンクリート１３を打設して、鉄骨梁６と一体になったスラブ７を構築すると、図１に示すような、耐震補強架構３が構築される。
【００１６】
また、この既存建物の耐震補強工法による耐震補強架構３は、既存建物３０の跳ね出し部２だけではなく、図１０に示すように、既存の柱梁架構１５以外の箇所である仕切壁３１に構築することもできる。
【図面の簡単な説明】
【００１７】
【図１】跳ね出し部を備えた既存建物の平面図である。
【図２】（１）は跳ね出し部の正面側の断面図、（２）は跳ね出し部の平面側の断面図である。
【図３】（１）は１階の補強壁の側面側の断面図、（２）は同平面側の断面図である。
【図４】（１）は最上階のスラブの断面図、（２）は各階のスラブの断面図である。
【図５】仮設壁を設けた跳ね出し部の断面図である。
【図６】（１）はスラブを撤去した跳ね出し部の断面図、（２）は（１）の平面側の断面図である。
【図７】跳ね出し部の作業空間に足場を組み立てた断面図である。
【図８】鉄骨柱間に鉄骨梁を架設した断面図である。
【図９】跳ね出し部に耐震補強架構を構築した断面図である。
【図１０】他の既存建物の平面図である。
【図１１】従来の既存建物の耐震補強工法の断面図である。
【符号の説明】
【００１８】
１、３０、３２  既存建物
２  跳ね出し部
３、３４  耐震補強架構
４  既存建物の基礎
５  鉄骨柱
６  鉄骨梁
７  スラブ
８、３３  柱梁架構
９  鉄骨ブレース
１０  片持基礎
１１  基礎スラブ
１２  既存柱
１３  コンクリート
１４  壁柱
１５  既存の柱梁架構
１６  仮設壁
１７  既存小梁
１８  作業孔
１９  作業空間
２０  滑車
２１  ウインチ
２２  ワイヤー
２３  足場
２４、２５  柱材
２６  あと施工アンカー
２７  既存大梁
２８  フラットデッキ
２９  スラブ型枠
３１  仕切壁
３６  無収縮モルタル
３７  外装カーテンウォール
３８  デッドスペース
【図１】
2005179978.tif 000003
【図２】
2005179978.tif 000004
【図３】
2005179978.tif 000005
【図４】
2005179978.tif 000006
【図５】
2005179978.tif 000007
【図６】
2005179978.tif 000008
【図７】
2005179978.tif 000009
【図８】
2005179978.tif 000010
【図９】
2005179978.tif 000011
【図１０】
2005179978.tif 000012
【図１１】
2005179978.tif 000013